(57)【特許請求の範囲】
【請求項１】
清掃ロールを有する清掃ヘッドと、該清掃ヘッドの上面部の中央部分に回転可能に連結されたハンドル部とを備え、前記ハンドル部を把持して、前記清掃ヘッドを被清掃面に沿って清掃方向にスライド移動させることで、前記清掃ロールによって被清掃面上のゴミを前記清掃ヘッドの内部のゴミ収容部に捕集することが可能な清掃具であって、
前記清掃ロールは、前記清掃方向の一方の側の領域の下面部に臨んで設けられており、
前記清掃ヘッドの下面部における、前記清掃方向の前記清掃ロールとは反対側の他方の側の領域を覆って、清掃シートが着脱可能に装着されており、
前記清掃ヘッドの下面部には、前記清掃方向と垂直な横方向から視て、下方に凸となった湾曲凸面が形成されており、
前記清掃ヘッドが前記湾曲凸面を介して傾くことで、前記清掃ヘッドを前記清掃方向の一方の側にスライド移動させた際に、前記清掃ロールが被清掃面と接触し、前記清掃方向の前記清掃ロールとは反対側の他方の側にスライド移動させた際に、前記清掃ロールが被清掃面から離間することにより、ゴミを取り込む回転方向とは反対方向に回転しないように構成されている清掃具。
【請求項２】
前記清掃ヘッドの下面部には、前記清掃方向の前記清掃ロールとは反対側の他方の側の領域に、平坦な当接平坦面が形成されている請求項１記載の清掃具。
【請求項３】
前記清掃ロールは、前記清掃ヘッドの下面部における、前記清掃方向の一方の側の領域に、前記清掃方向と垂直な方向の全長に亘って連続して設けられている請求項１又は２記載の清掃具。
【請求項４】
前記清掃ヘッドは、矩形の平面形状を有しており、該矩形の平面形状の短辺方向が、前記清掃方向となっており、前記清掃ロールは、長辺方向に延設して設けられている請求項１〜３のいずれか１項記載の清掃具。
【請求項５】
前記清掃シートは、前記清掃ヘッドにおける、前記清掃方向の前記清掃ロールとは反対側の他方の側の領域を覆って係着される袋状係着部を備えており、該袋状係着部を前記清掃ヘッドの前記清掃方向の前記清掃ロールとは反対側の他方の側の領域の縁部に係着した状態で、前記清掃シートが前記清掃ヘッドに着脱可能に装着されている請求項１〜４のいずれか１項記載の清掃具。
【請求項６】
前記清掃ヘッドの下面部には、前記清掃方向の前記清掃ロール側の領域に、下面シート係着部が設けられており、該下面シート係着部に前記清掃シートの前記袋状係着部とは反対側の部分を係着させた状態で、前記清掃シートが前記清掃ヘッドに着脱可能に装着されている請求項５項記載の清掃具。
【請求項７】
前記清掃ロールは、硬質プラスチック製のシャフトチューブの全周に亘って、スポンジロールを被着し、スポンジロールの表面を筒状薄膜で被覆した弾性ロールとなっている請求項１〜６のいずれか１項記載の清掃具。
【発明の詳細な説明】
【技術分野】
【０００１】
本発明は、清掃具に関し、特に、清掃ロールを有する清掃ヘッドと、清掃ヘッドの上面部中央部分に連結されたハンドル部とを備える清掃具に関する。
【背景技術】
【０００２】
床面等の被清掃面を簡易に清掃できるようにする清掃具として、清掃ヘッドと、清掃ヘッドの上面部中央部分に連結されたハンドル部とを備え、清掃ヘッドに清掃シートを装着した状態で、ハンドル部を把持して清掃ヘッドを被清掃面に沿ってスライド移動させることにより、被清掃面を払拭して、清掃シートに汚れやほこりなどを付着させる清掃具が知られている（例えば、特許文献１参照）。
【０００３】
また、特許文献１の清掃具では、汚れやほこりを容易に付着さることができるが、パンくずや砂などの粒状のゴミを付着することが困難な場合があることから、電動で駆動する回転ブラシを設けて、これらのゴミを、回転ブラシによってゴミ収容部に取り込むことで除去できるようにした掃除機も開発されている（例えば、特許文献２参照）。
【０００４】
さらに、特許文献２の掃除機では、回転ブラシを電動で駆動させる機構が複雑になることから、清掃ヘッドを被清掃面に沿って清掃方向にスライド移動させる際に、被清掃面に接触することで生じる摩擦力によって回転可能な清掃ロールを、清掃ヘッドに取り付けておくことで、複雑な駆動機構を要することなく、この清掃ロールの回転によって、ゴミをゴミ収容部に取り込んで除去できるようにした清掃具も開発されている（例えば、特許文献３参照）。
【先行技術文献】
【特許文献】
【０００５】
【特許文献１】特開２００１−２９９６５９号公報
【特許文献２】特開２００３−１３５３４８号公報
【特許文献３】特開２０１３−１７３０２０号公報。
【発明の概要】
【発明が解決しようとする課題】
【０００６】
特許文献３の清掃具は、清掃ロールを被清掃面に接触させることで生じる摩擦力により、清掃ヘッドを清掃方向にスライド移動させるのに伴って、清掃ロールを自動的に回転させるようになっており、簡易な構成でゴミを被清掃面から効率良く除去することが可能であるが、その一方で、清掃ヘッドのスライド移動に伴って、清掃ロールが、ゴミを取り込む回転方向とは反対方向に回転すると、この清掃ロールの反対方向の回転によって、ゴミ収容部に取り込んだゴミを排出してしまう場合がある。このため、清掃ロールの反対方向の回転によるゴミの排出を回避できるようにする、新たな技術の開発が望まれている。
【０００７】
本発明は、清掃ヘッドを被清掃面に沿って清掃方向にスライド移動させる際に、清掃ロールがゴミを取り込む回転方向とは反対方向に回転しないようにして、ゴミ収容部に取り込んだゴミが排出されるのを効果的に回避することのできる清掃具を提供することを目的とする。
【課題を解決するための手段】
【０００８】
本発明は、清掃ロールを有する清掃ヘッドと、該清掃ヘッドの上面部の中央部分に回転可能に連結されたハンドル部とを備え、前記ハンドル部を把持して、前記清掃ヘッドを被清掃面に沿って清掃方向にスライド移動させることで、前記清掃ロールによって被清掃面上のゴミを前記清掃ヘッドの内部のゴミ収容部に捕集することが可能な清掃具であって、前記清掃ロールは、前記清掃方向の一方の側の領域の下面部に臨んで設けられており、前記清掃ヘッドの下面部における、前記清掃方向の前記清掃ロールとは反対側の他方の側の領域を覆って、清掃シートが着脱可能に装着されており、前記清掃ヘッドの下面部には、前記清掃方向と垂直な横方向から視て、下方に凸となった湾曲凸面が形成されている清掃具を提供することにより、上記目的を達成したものである。
【発明の効果】
【０００９】
本発明の清掃具によれば、複雑な構造を要することなく、清掃ヘッドを被清掃面に沿って清掃方向にスライド移動させる際に、清掃ロールがゴミを取り込む回転方向とは反対方向に回転しないようにして、ゴミ収容部に取り込んだゴミが排出されるのを効果的に回避することができる。
【図面の簡単な説明】
【００１０】
【図１】本発明の好ましい一実施形態に係る清掃具の斜視図である。
【図２】本発明の好ましい一実施形態に係る清掃具の要部側面図である。
【図３】清掃シートを取り外した状態で示す清掃ヘッドの斜視図である。
【図４】図３のＡ−Ａに沿った断面図である。
【図５】清掃シートを取り外した状態で示す清掃ヘッドの上面図である。
【図６】清掃シートを取り外した状態で示す清掃ヘッドの底面図である。
【図７】（ａ）〜（ｃ）は、本発明の好ましい一実施形態に係る清掃具を用いて被清掃面を清掃する状態を説明する略示側面図である。
【発明を実施するための形態】
【００１１】
図１に示す本発明の好ましい一実施形態に係る清掃具１０は、例えば床面を被清掃面５０として払拭する清掃作業を行う際に用いられる。本実施形態の清掃具１０は、ハンドル部１２の柄部１２ａを把持して、好ましくは清掃ヘッド１１を被清掃面５０に沿って清掃方向Ｘの前方側Ｘ’にスライド移動させることで、清掃ヘッド１１に装着された清掃シート１３によって、主として汚れやほこりを被清掃面５０から除去できるようになっている（図７（ｂ）参照）。また、好ましくは清掃ヘッド１１を水平方向に１８０°回転させることにより反転させて、清掃方向Ｘの前方側Ｘ’にスライド移動させることで、好ましくは清掃シート１３による毛、ほこり等のゴミ、また汚れの除去を引き続き行いながら、清掃ヘッド１１に取着された清掃ロール１４（図２参照）によって、主としてパンくずや砂などの粒状のゴミを、被清掃面５０から除去できるようになっている（図７（ｃ）参照）。本実施形態の清掃具１０は、清掃ヘッド１１に取着された清掃ロール１４が、粒状のゴミを取り込む回転方向とは反対の方向に回転しないようにして、取り込んだ粒状のゴミが排出されるのを防止する機能を備えている。このように、本実施形態の清掃具１０では、毛、ほこり等のゴミだけでなく、パンくず、米、菓子くず、砂等の粒ゴミまで除去することが可能となる。
【００１２】
そして、本実施形態の清掃具１０は、図１〜図４に示すように、清掃ロール１４を有する清掃ヘッド１１と、清掃ヘッド１１の上面部１１ａの中央部分に回転可能に連結されたハンドル部１２とを備える。本実施形態の清掃具１０は、ハンドル部１２の柄部１２ａを把持して、清掃ヘッド１１を被清掃面５０である床面に沿って清掃方向Ｘにスライド移動させることで、清掃ロール１４によって被清掃面５０上の主に粒状のゴミを清掃ヘッド１１の内部のゴミ収容部１６（図４参照）に捕集することが可能な、簡易な清掃用の器具であって、清掃ロール１４は、清掃方向Ｘの一方の側の領域の下面部１１ｂに臨んで設けられている。清掃ヘッド１１の下面部１１ｂにおける、清掃方向Ｘの清掃ロール１４とは反対側の他方の側の領域を覆って、清掃シート１３(図１、図２参照)が着脱可能に装着されている。清掃ヘッド１１の下面部には、清掃方向Ｘと垂直な横方向から視て、下方に凸となった湾曲凸面１７が形成されている。
【００１３】
また、本実施形態では、ハンドル部１２の柄部１２ａを把持して清掃ヘッド１１を被清掃面５０に沿ってスライド移動させた際に、柄部１２ａがハンドル部１２にジョイント部１５により回転可能に連結されていることで、清掃ヘッド１１が湾曲凸面１７を介して傾くことができるようになっている。これによって、図７（ａ）〜（ｃ）に示すように、清掃ロール１４が配置された清掃ヘッド１１の清掃方向Ｘの一方の側を前方側Ｘ’として、清掃ヘッド１１をスライド移動させた際に（図７（ｃ）参照）、清掃ロール１４が被清掃面５０と接触し、清掃ロール１４とは反対側の清掃方向Ｘの他方の側を前方側Ｘ’として、清掃ヘッド１１をスライド移動させた際に（図７（ｂ）参照）、清掃ロール１４が被清掃面５０から離間するように構成されている。
【００１４】
さらに、本実施形態の清掃具１０では、清掃ヘッド１１の下面部１１ｂにおける、清掃ロール１４が設けられていない、湾曲凸面１７を挟んだ清掃方向Ｘの他方の側の領域に、平坦な当接平坦面２３が形成されている（図２〜図４参照）。
【００１５】
さらにまた、本実施形態の清掃具１０では、清掃ロール１４は、清掃ヘッド１１の下面部１１ｂにおける、清掃方向Ｘの一方の側の領域に、清掃方向Ｘと垂直な方向の全長に亘って連続して設けられている（図６参照）。清掃ヘッド１１は、矩形の平面形状を有しており、矩形の平面形状の短辺に沿う方向（短辺方向）が、清掃方向Ｘとなっている。清掃ロール１４は、矩形の平面形状の長辺方向に延設して設けられている。ここで、清掃ヘッド１１の清掃方向Ｘと垂直な方向の全長には、略全長も含まれる。また清掃ヘッド１１の矩形の平面形状には、略矩形の平面形状も含まれる。
【００１６】
また、清掃ヘッド１１を被清掃面５０に沿ってスライド移動させる清掃方向Ｘは、当該清掃ヘッド１１によって最も清掃し易い方向として、清掃ヘッド１１の形状等に応じて適宜設計された方向である。本実施形態では、清掃ヘッド１１は、略矩形の平面形状を有しており、また上面部１１ａの中央部分にハンドル部１２が上下方向及び左右方向に回転可能に連結されているので、矩形の平面形状の短辺方向が、スライド移動させ易く且つ効率良く清掃することが可能な清掃方向Ｘとして、予め設定されている。ハンドル部１２が連結される清掃ヘッド１１の上面部１１ａの中央部分は、清掃ヘッド１１の上面部１１ａの中心部及びこれの周囲の部分を含む領域である。本実施形態では、ハンドル部１２は、好ましくは清掃ヘッド１１の上面部１１ａにおける清掃方向Ｘの中心部に連結されている。
【００１７】
本実施形態では、清掃具１０を構成する清掃ヘッド１１は、図３〜図６に示すように、長辺が２００〜６００ｍｍ程度、短辺が５０〜１５０ｍｍ程度の大きさの略矩形の平面形状を有する、プラスチック製の部材である。清掃ヘッド１１は、上面部１１ａ及び下面部１１ｂと、短辺部分の端面を形成する一対の側面部１１ｃとによって周囲を囲まれた、扁平な中空の箱体形状を備えている。清掃ヘッド１１は、中空内部に補強リブ（図示省略）が配置されることによって、押し潰されないように適宜補強されている。清掃ヘッド１１の中空内部には、一側面が受け口１８ａとして開口する細長い棒状受皿部材１８が、上面部１１ａに設けられた帯状開口１９を介して、カートリッジ形式で着脱可能に装着されることで、ゴミ収容部１６が形成されている（図３、図４参照）。また、清掃ヘッド１１の略矩形の平面形状の一方の長辺部分には、下面部１１ｂの湾曲凸面１７を挟んだ清掃方向Ｘの一方の側の領域の縁部に沿って形成された開口窓２１ｂに、下端部分を臨ませるように配置されて、清掃ロール１４が取り付けられている。
【００１８】
清掃ヘッド１１の上面部１１ａは、清掃ヘッド１１の略矩形の平面形状を形成する部分であって、これの中央部分から上方に突出して、ハンドル部１２を回転可能に連結させるためのジョイント部１５が、一体として形成されている。ジョイント部１５は、ピン孔が形成された一対の軸受壁１５ａからなり、対向配置されたこれらの軸受壁１５ａの間隔部分に、ハンドル部１２の下端部に取り付けられた回転ジョイント部材３０のピン軸３０ａ（図１参照）が、回転可能に嵌着されることで、ハンドル部１２が、清掃ヘッド１１の上面部１１ａの中央部分に回転可能に連結される。
【００１９】
また、清掃ヘッド１１の上面部１１ａの一方の長辺部分（湾曲凸面１７を挟んだ清掃方向Ｘの一方の側の長辺部分）には、下方に向けて円弧形状に湾曲する断面形状を備える、湾曲ハウジンング部２０ａが形成されている。この湾曲ハウジンング部２０ａの内側に、清掃ロール１４が、回転可能に収容されるようになっている。清掃ロール１４が収容される湾曲ハウジンング部２０ａと、ジョイント部１５との間の領域に、上述の棒状受皿部材１８を装着させるための帯状開口１９が、上面部１１ａの長辺方向と平行に延設して、両側の側面部１１ｃの間に連続して形成されている。また帯状開口１９と湾曲ハウジンング部２０ａとの間の部分には、帯状開口１９の長辺方向の中央部分と隣接して、棒状受皿部材１８を装着した際にこれのハンドル係止片１８ｂを係止させるための、係止凹部１９ａが形成されている。
【００２０】
上面部１１ａにおける、ジョイント部１５を挟んだ帯状開口１９や湾曲ハウジンング部２０ａとは反対側の領域には、他方の長辺部分に向けて緩やかに下方に傾斜する傾斜面部２０ｂが形成されている。傾斜面部２０ｂの他方の長辺部分の縁部には、当該縁部から下方に折れ曲がって上面側接合片２０ｃが設けられ、下面側接合片２１ｃと接合されている。下面側接合片２１ｃは、底面板２１ａの他方の長辺部分の縁部から上方に折れ曲がって設けられている。上面部１１ａにおける、帯状開口１９よりも他方の長辺部分側の領域には、両側の短辺部分の縁部から下方に折れ曲がって、上面側短辺部接合片２０ｄが各々設けられている。上面側短辺部接合片２０ｄは、底面板２１ａの両側の短辺部分の縁部から上方に折れ曲がって設けられた、下面側短辺部接合片２１ｄと接合されている。
【００２１】
清掃ヘッド１１の下面部１１ｂは、その短辺方向の長さが、上面部１１ａの短辺方向の長さよりも短くなっている底面板２１ａと、開口窓２１ｂとを含んで形成されている。下面部１１ｂは、上述のように、底面板２１ａの他方の長辺部分の縁部から上方に折れ曲がって設けられた下面側接合片２１ｃを、上面部１１ａの上面側接合片２０ｃと当接させて接合すると共に、両側の短辺部分の縁部から上方に折れ曲がって設けられた下面側短辺部接合片２１ｄを、上面部１１ａの上面側短辺部接合片２０ｄと当接させて接合することによって、上面部１１ａの帯状開口１９よりも他方の長辺部分側の部分と一体として組み付けられる。底面板２１ａは、その短辺方向の長さが、上面部１１ａの短辺方向の長さよりも短くなっていることで、一方の長辺部分の縁部と、上面部１１ａの湾曲ハウジンング部２０ａの下端縁部との間に、開口窓２１ｂが形成される。なお、下面側短辺部接合片２１ｄは、上面部１１ａの一方の長辺部分側まで延設して形成されており、上面部１１ａの帯状開口１９よりも一方の長辺部分側の湾曲ハウジンング部２０ａは、下面側短辺部接合片２１ｄと一体として成形されている。
【００２２】
また、底面板２１ａの一方の長辺部側の縁部には、誘い込み張出部２２が、当該縁部の全長に亘って連続して設けられている。誘い込み張出部２２は、開口窓２１ｂに面して配置され、内側面が、清掃ロール１４の外周面と同様の曲率で湾曲するゴミ誘い面２２ａとなっている。
【００２３】
さらに、本実施形態では、清掃ヘッド１１の下面部１１ｂには、清掃効率及び動作の安定性の観点から、上述のように、清掃ロール１４が装着される開口窓２１ｂとは反対側の、清掃方向Ｘの他方の側の領域に、平坦な当接平坦面２３が、長辺方向の全長に亘って連続して形成されている。当接平坦面２３は、本実施形態では、底面板２１ａにおける、他方の長辺部分である清掃方向Ｘの他方の側の縁部に沿って、好ましくは当該縁部に近接して配置されて設けられている。また当接平坦面２３は、例えば１０〜２０ｍｍ程度の幅（Ｘ方向の長さ）で帯状に連続して設けられている。当接平坦面２３と誘い込み張出部２２との間の領域が、上面部１１ａの中央部分のハンドル部１２とのジョイント部１５の直下部分を含めて、下方に向けて凸となった、例えば４００〜６００ｍｍ程度の曲率半径の湾曲凸面１７を形成している。本実施形態では、湾曲凸面１７は、清掃ヘッド１１の短辺方向の中央部に位置している。湾曲凸面１７は、下面部１１ｂの長辺方向の全長に亘って、好ましくは長辺方向には湾曲することなく、連続して形成されている。本実施形態では、湾曲凸面１７と当接平坦面２３とは、長辺方向に延設する境界稜線２１ｆによって区画されている。
【００２４】
さらにまた、本実施形態では、下面部１１ｂの底面板２１ａの一方の長辺部分側の領域には、好ましくは誘い込み張出部２２の他方の長辺部分側に隣接して、例えばメカニカルファスナー、粘着材、クリッパー等を設けることにより、下面シート係着部２４が、長辺方向の全長に亘って帯状に延設して設けられている。これによって、下面シート係着部２４は、清掃ヘッド１１の下面部１１ｂにおける、ハンドル部１２とのジョイント部１５を挟んだ清掃方向Ｘの一方の側である、清掃ロール１４側の領域に設けられる。後述する袋状係着部１３ａを備える清掃シート１３を、清掃ヘッド１１に着脱可能に装着する際に、袋状係着部１３ａを清掃ヘッド１１の清掃方向Ｘの他方の側の領域の縁部に係着すると共に、袋状係着部１３ａとは反対側の端部分１３ｂを、下面シート係着部２４に係着することによって、清掃シート１３を、容易に且つスムーズに、清掃ヘッド１１に着脱交換可能に装着することが可能になる。
【００２５】
清掃ヘッド１１の側面部１１ｃは、清掃ヘッド１１の両側の短辺部分に沿って各々設けられるプレート状の部分であって、上述のように、上面部１１ａの上面側短辺部接合片２０ｄと、下面部１１ｂの底面板２１ａの下面側短辺部接合片２１ｄとによって形成されている。側面部１１ｃには、上面部１１ａに形成された帯状開口１９と連設する部分に、上辺部分から下方に向けて切り欠くようにして、切欠き係合凹部２５が形成されている。棒状受皿部材１８を帯状開口１９を介して清掃ヘッド１１に装着した際に、切欠き係合凹部２５に、棒状受皿部材１８の両端部に設けられた係合凸部１８ｃが、回転可能に、且つ着脱可能に係合する。また、側面部１１ｃには、下面部１１ｂの一方の長辺部分側の領域に設けられた開口窓２１ｂと連設する部分に、下辺部分から上方に向けて切り欠くようにして、軸受け係合凹部２６が形成されている。清掃ロール１４を開口窓２１ｂを介して清掃ヘッド１１装着した際に、軸受け係合凹部２６に、清掃ロール１４の回転軸部１４ｂであるシャフトチューブの両端部に取り付けられた回転係合凸部１４ｃが、回転可能に係合する。
【００２６】
本実施形態では、清掃ヘッド１１に取り付けられる清掃ロール１４は、粒状のゴミの捕集性等の観点から、例えば特開２０１３−１７３０２０号公報に記載の清掃ロールと同様の構成を備えるものを用いることができる。清掃ロール１４は、例えば硬質プラスチック製のシャフトチューブ１４ｂの全周、全長に亘って、スポンジロール１４ａを被着し、さらにスポンジロール１４ａの表面を、例えば帯電しにくい筒状薄膜で被覆した弾性ロールとなっている。清掃ロール１４のシャフトチューブ１４ｂの両端部には、回転係合凸部１４ｃが取り付けられている。清掃ロール１４は、シャフトチューブ１４ｂの両端部の回転係合凸部１４ｃを、清掃ヘッド１１の両側の側面部１１ｃに形成された軸受け係合凹部２６に各々係合することによって、清掃ヘッド１１に取り付けられる。清掃ロール１４は、開口窓２１ｂを介して、下端部分を、下面部１１ｂの湾曲凸面１７を挟んだ清掃方向Ｘの一方の側に臨ませた状態で取り付けられる。
【００２７】
清掃ロール１４は、清掃ヘッド１１を被清掃面５０に沿って、当該清掃ロール１４が配置された清掃方向Ｘの一方の側にスライド移動させた際に、例えば特開２００３−１７３０２０号公報に記載の清掃ロールと同様に、被清掃面５０上のパンくずや砂などの粒状のゴミを、スポンジロール１４ｃに食い込ませるようにして付着させる。また、付着させた粒状のゴミを、図４に示すように、清掃ロール１４のＹ方向（粒状のゴミを取り込む回転方向）の回転に伴って、開口窓２１ｂに面して配置された、誘い込み張出部２２のゴミ誘い面２２ａに誘い込むことができる。更に、付着させた粒状のゴミを、ゴミ誘い面部２２ａ上を滑り上げた後、スポンジロール１４の弾発力によって、受け口１８ａから清掃ヘッド１１に装着された棒状受皿部材１８によるゴミ収容部１６に投入させることで、被清掃面５０上の粒状のゴミを、ゴミ収容部１６に取り込んで除去することができる。清掃ロール１４は、汚れが気になるときは、中性洗剤等で水洗いすることができる。
【００２８】
棒状受皿部材１８は、図３〜図５に示すように、清掃ヘッド１１の長辺方向の長さと同様の長さを備える、細長い棒状のプラスチック製の成形品となっている。棒状受皿部材１８は、一か所の角部が湾曲形状に面取りされた、矩形(略矩形を含む)の断面形状を備えると共に、一側面が開口面となっていて、受け口１８ａを形成している。棒状受皿部材１８は、その長さ方向の両側の端面が閉塞されており、両側の端面から外側に突出して、係合凸部１８ｃが設けられている。また、湾曲形状に面取りされた角部と対角位置にある、受け口１８ａを挟んだ一方に開口縁部には、長さ方向の中央部分から一体として外側に張り出して、ハンドル係止片１８ｂが設けられている。
【００２９】
棒状受皿部材１８は、受け口１８ａを上方に向けて配置した状態で、清掃ヘッド１１の上方から、係合凸部１８ａを切欠き係合凹部２５に係合させつつ、帯状開口１９を介して清掃ヘッド１１の中空内部に挿入される。しかる後に、棒状受皿部材１８を、清掃ロール１４が配置された一方の長辺部分側に略９０°回転させて、ハンドル係止片１８ｂを、清掃ヘッド１１の上面部１１ａに設けられた係止凹部１９ａに係止させる。これによって、誘い込み張出部２２のゴミ誘い面２２ａの直上部分に、受け口１８ａを開口させたゴミ収容部１６を、清掃ヘッド１１の中空内部に形成することができる。
【００３０】
清掃シート１３は、汚れやほこり等を容易に付着させることが可能なシートとして公知の、例えばオレフィン系極細繊維不織布等のシート材料を用いて形成することができる。清掃シート１３は、本実施形態では、図１及び図２に示すように、清掃ヘッド１１における、清掃ロール１４が設けられた一方の側とは反対の、清掃方向Ｘの他方の側の領域を覆って係着される、袋状係着部１３ａを備えている。清掃シート１３は、袋状係着部１３ａを清掃ヘッド１１の清掃方向Ｘの他方の側の領域の縁部に係着した状態で、清掃ヘッド１１に着脱可能に装着される。清掃シート１３は、例えば特開平７−１８４８１５号公報に記載された、会網状シートの片面若しくは両面に、繊維ウエブの繊維絡合で形成された不織布状の繊維集合体が、その構成繊維間の絡合と共に該網状シートに対しても絡合状態で一体化されたシートであって、破断強度が５００ｇ／３０ｍｍ以上、且つ、５００ｇ／３０ｍｍ荷重時の伸度が１０％以下であり、更に上記シート中の不織布状の繊維集合体に、その繊維配向と垂直方向の応力−ひずみ曲線の初期勾配で表される交絡係数が１０〜５００ｍである清掃用シートを用いて形成することもできる。
【００３１】
また、本実施形態では、上述のように、清掃ヘッド１１の下面部１１ｂにおける、ハンドル部１２とのジョイント部１５を挟んだ清掃方向Ｘの清掃ロール１４側の領域に、下面シート係着部２４が設けられている。この下面シート係着部２４に、清掃シート１３の袋状係着部１３ａとは反対側の端部分１３ｂを係着させた状態で、清掃シート１３が清掃ヘッド１１に着脱可能に装着されている。これらによって、清掃ヘッド１１の下面部１１ｂに臨んで配置された清掃ロール１４を、覆い隠さない状態で、清掃シート１３を、容易に且つスムーズに、清掃ヘッド１１に装着することが可能になる。
【００３２】
清掃ヘッド１１の上面部１１ａの中央部分に連結されるハンドル部１２は、上端部分の柄部１２ａと、清掃ヘッド１１と柄部１２ａとの間に介在するロッド部１２ｂとからなる。ロッド部１２ｂは、例えばアルミ合金やＡＢＳ樹脂からなる複数のパイプ部材を、公知の連結部を介して軸方向に連結することで、柄部１２ａを含めたハンドル部１２の全体が、清掃作業を行うのに適した例えば１００〜１５０ｃｍ程度の長さとなるように組み立てられる。ロッド部１２ｂの下端部には、回転ジョイント部材３０が取り付けられている。上述のように、この回転ジョイント部材３０のピン軸３０ａを、清掃ヘッド１１の上面部１１ａの中央部分に設けられたジョイント部１５の一対の軸受壁１５ａの間に、回転可能に嵌着することで、ハンドル部１２を、清掃ヘッド１１に対して上下方向及び左右方向に回動させることが可能になる。
【００３３】
本実施形態の清掃具１０は、清掃ヘッド１１の清掃方向Ｘに沿った断面における、少なくともハンドル部１２とのジョイント部１５の直下部分の下面部１１ｂに、下方に向けて凸となった湾曲凸面１７が形成されており、清掃ロール１４は、湾曲凸面１７を挟んだ清掃方向Ｘの一方の側の下面部１１ｂに臨んで設けられており、清掃ヘッド１１の下面部１１ｂにおける、少なくともハンドル部１２とのジョイント部１５を挟んだ清掃方向Ｘの清掃ロール１４とは反対側の領域を覆って、清掃シート１３が着脱可能に装着されている。
【００３４】
したがって、本実施形態によれば、例えば図７（ａ）に示す、清掃ヘッド１１を被清掃面５０から僅かに浮かせた状態から、ハンドル部１２による操作によって、清掃ヘッド１１を被清掃面５０に押し付けるようにして、清掃ヘッド１１を、清掃ロール１４とは反対側である、清掃方向Ｘの他方の側を前方側Ｘ’としてスライド移動させれば、図７（ｂ）に示すように、清掃ヘッド１１は、清掃方向Ｘの他方の側（前方側Ｘ’）に傾くことで、清掃ロール１４の下端部分を被清掃面５０から離間させて、清掃ロール１４が回転しないようにすることが可能になる。これによって、清掃ヘッド１１の下面部１１ｂの、清掃ロール１４とは反対側の領域を覆う部分の清掃シート１３によって、被清掃面５０上の汚れやほこりを効率良く除去することが可能になる。
【００３５】
また、清掃ヘッド１１を水平方向に１８０°回転させることにより反転させて、下面部１１ａの湾曲凸面１７を被清掃面５０に接触させると共に、清掃ヘッド１１を、清掃ロール１４が設けられた側である、清掃方向Ｘの一方の側を前方側Ｘ’としてスライド移動させる。これによって、図７（ｃ）に示すように、清掃ヘッド１１を清掃方向Ｘの一方の側（前方側Ｘ’）に傾かせ、清掃ロール１４の下端部分を被清掃面５０と接触させることで、清掃ロール１４を、粒状のゴミを取り込む回転方向Ｙに回転させることが可能になる。またこれによって、好ましくは清掃シート１３による汚れやほこりの除去を引き続き行いながら、被清掃面５０上の粒状のゴミを清掃ロール１４によりゴミ収容部１６に取り込んで、効率良く除去することが可能になると共に、湾曲凸面１７を覆う部分の清掃シート１３によって、被清掃面５０上の汚れやほこりを効率良く除去することが可能になる。
【００３６】
さらに、清掃ヘッド１１を再度水平方向に１８０°回転させることにより反転させて、清掃ロール１４とは反対側である、清掃方向Ｘの他方の側を前方側Ｘ’としてスライド移動させれば、図７（ｂ）に示すように、清掃ヘッド１１は、清掃方向Ｘの他方の側（前方側Ｘ’）に傾くことで、清掃ロール１４の下端部分を被清掃面５０から離間させて、清掃ロール１４が回転しないようにすることが可能になると共に、清掃ヘッド１１の下面部１１ｂの、清掃ロール１４とは反対側の領域を覆う部分の清掃シート１３によって、被清掃面５０上のほこり、毛等のゴミ、または汚れを効率良く除去することが可能になる。
【００３７】
これらによって、本実施形態の清掃具１０によれば、清掃ヘッド１１を被清掃面５０に沿って清掃方向Ｘにスライド移動させる際に、清掃ヘッド１１に取着された清掃ロール１４が、粒状のゴミを取り込む回転方向Ｙとは反対方向に回転しないようにして、ゴミ収容部１６に取り込んだ粒状のゴミがゴミ収容部１６から排出されるのを、効果的に回避することが可能になる。
【００３８】
また、本実施形態の清掃具１０によれば、清掃ヘッド１１の下面部１１ｂにおける、清掃ロール１４とは反対側の、湾曲凸面１７を挟んだ清掃方向Ｘの他方の側の領域に、平坦な当接平坦面２３が形成されている。これによって、図７（ｂ）に示すように、清掃ヘッド１１を清掃方向Ｘの他方の側を前方側Ｘ’としてスライド移動させながら被清掃面５０を払拭する際に、清掃ヘッド１１が清掃方向Ｘの前方側Ｘ’に傾き過ぎることになるのを、広い当接面積を備える平坦な当接平坦面２３を介して下面部１１ｂを被清掃面５０に当接させることにより効果的に抑制して、より安定した状態で、清掃ロール１４とは反対側の領域を覆う部分の清掃シート１３によって、被清掃面５０上の汚れやほこりを除去することが可能になる。
【００３９】
なお、本発明は上記実施形態に限定されることなく種々の変更が可能である。例えば、清掃ヘッドは、矩形の平面形状を備えている必要は必ずしも無く、長円形状や楕円形状等の、その他の種々の平面形状を備えていても良い。清掃ヘッドは、合成樹脂の他、木材やウレタン等を用いて形成することもできる。清掃ロールは、清掃ヘッドの下面部における、清掃方向の一方の側の領域に、清掃方向と垂直な方向の全長に亘って連続して設けられている必要は必ずしも無く、粒状のゴミを除去するのに適した部分のみに、清掃ロールを設けることもできる。清掃ロールは、連続させることなく、分断させた状態で設けることもできる。清掃ロールは、回転軸部の外周面にスポンジロールを取り付けたものの他、ブラシ等を取り付けたものであっても良い。
【００４０】
また、清掃シートは、袋状係着部を備えるものである必要は必ずしも無く、公知の各種の係着手段を用いて、清掃ロールを覆わない状態で清掃シートを取り付けても良い。清掃シートの係着部は、下面部の他、側面部や縁部（上面側接合片２０ｃや下面側接合片２１ｃ）に設けることもできる。上面部に設けても良い。さらに、図７（ａ）に示す清掃ヘッドを被清掃面から僅かに浮かせた状態で、例えば清掃ヘッドが清掃方向の一方の側に傾くように、清掃ヘッドの重心の位置を調整しておくこともできる。これによって、清掃ヘッドを清掃方向の一方の側にスライド移動させて、粒状のゴミを取り除く際の操作性を、向上させることが可能になる。このような重心の位置の調整は、例えば清掃ヘッドとハンドル部との連結位置を移動させることによって行うことができる。例えば、清掃ヘッドに取り付けられる清掃ロールが重い場合には、清掃ヘッドの清掃方向へのスライド移動時に、清掃ロールが被清掃面から容易に離間できるように、清掃ロールとは反対の縁部側（上面側接合片２０ｃや下面側接合片２１ｃの側）に連結位置を移動させて、重心の位置を調整することが好ましい。
【符号の説明】
【００４１】
１０  清掃具
１１  清掃ヘッド
１１ａ  上面部
１１ｂ  下面部
１１ｃ  側面部
１２  ハンドル部
１３  清掃シート
１３ａ  袋状係着部
１３ｂ  袋状係着部とは反対側の端部分
１４  清掃ロール
１４ａ  スポンジロール
１４ｂ  回転軸部（シャフトチューブ）
１５  ジョイント部
１６  ゴミ収容部
１７  湾曲凸面
１８  棒状受皿部材
１８ａ  受け口
１９  帯状開口
２０ａ  湾曲ハウジンング部
２１ａ  底面板
２１ｂ  開口窓
２２  誘い込み張出部
２２ａ  ゴミ誘い面
２３  当接平坦面
２４  下面シート係着部
２５  切欠き係合凹部
２６  軸受け係合凹部
５０  被清掃面（床面）
Ｘ    清掃方向
Ｘ’  清掃方向の前方側
Ｙ    粒状のゴミを取り込む回転方向
【図１】
0006486073.tif 000002
【図２】
0006486073.tif 000003
【図３】
0006486073.tif 000004
【図４】
0006486073.tif 000005
【図５】
0006486073.tif 000006
【図６】
0006486073.tif 000007
【図７】
0006486073.tif 000008